【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
（Ａ）哺乳類の細胞構造に適用される第１の装置（３０１、３０２、３０３）を操作して前記細胞構造のインピーダンスをｉｎ  ｖｉｖｏで測定する工程であって、前記哺乳類の前記細胞構造に適用される前記第１の装置が、前記細胞構造に接触するための少なくとも２つの電極（１１０、１１２、１１６、１１８）を有する測定モジュール（３０１）と、および前記細胞構造のインピーダンススペクトルを判定するための内部処理部（３０２）を備え、前記内部処理部（３０２）が、複数の前記電極（１１０、１１２）を用いて前記細胞構造に複数の周波数の交流電流を印加することにより、前記測定モジュール（３０１）からのデータにより前記インピーダンススペクトルを判定する、工程と、
（Ｂ）第２の装置（３０４、３０５）を用いて前記細胞構造の複数の細胞を区別する工程であって、
前記測定モジュール（３０１）の前記電極によって接触している前記細胞構造を示す少なくとも１つのパラメータを、前記インピーダンススペクトルから計算する工程と、
前記細胞構造を示す前記少なくとも１つのパラメータを少なくとも１つの参照値と比較する工程と、および
前記細胞構造に関する少なくとも１つの項目を、前記比較する工程で得た結果に基づき判定する工程
を含む、区別する工程、
を包含する方法。
【請求項２】
前記第１の装置（３０１、３０２、３０３）を操作して前記細胞構造のインピーダンスをｉｎ  ｖｉｖｏで測定する工程（Ａ）が、前記内部処理部（３０２）によって離散化したインピーダンススペクトルを判定する工程を含み、前記工程は、
複数の前記電極（１１０、１１２）を介して前記細胞構造に複数の周波数の交流電流を印加し、前記測定モジュール（３０１）からのデータを取得し、かつ
連続、擬似連続（ｐｓｅｕｄｏ−ｃｏｎｔｉｎｕｏｕｓ）ではない前記複数の周波数の夫々における前記細胞構造のインピーダンスを計算する、
請求項１に記載の方法。
【請求項３】
前記第１の装置（３０１、３０２、３０３）を操作して前記細胞構造のインピーダンスをｉｎ  ｖｉｖｏで測定する工程（Ａ）が、前記細胞構造の前記インピーダンスをｉｎ  ｖｉｖｏで測定するために、前記哺乳類の体内で、ガイドワイヤーまたはカテーテル等の、外科装置を操作する工程を含み、
前記哺乳類の体内に配置される外科装置の一部に前記内部処理部（３０２）を含む、請求項１または２に記載の方法。
【請求項４】
前記工程（Ｂ）の前記細胞構造に関する少なくとも１つの項目を、前記比較する工程で得た結果に基づき判定する工程が、前記細胞構造の細胞組成を、前記比較する工程で得た結果に基づき判定する工程を含み、特に、前記細胞構造中に存在する少なくとも１種の細胞および／または前記細胞構造中に存在する少なくとも１つの細胞の状態を、前記比較する工程で得た結果に基づき判定する工程を含む、請求項１〜３のいずれか一項に記載の方法。
【請求項５】
前記インピーダンススペクトルの前記少なくとも１つのパラメータは、前記インピーダンススペクトルから、前記測定モジュール（３０１）の前記電極によって接触している前記細胞構造のインピーダンスモデルの少なくとも１つのパラメータを計算する工程を含む、請求項１〜４のいずれか一項に記載の方法。
【請求項６】
前記インピーダンススペクトルから計算される前記少なくとも１つのパラメータは、前記細胞構造の実効静電容量および／または実効静電容量以外の前記細胞構造の少なくとも１つのパラメータを備える、請求項１〜５のいずれか一項に記載の方法。
【請求項７】
前記インピーダンススペクトルから前記少なくとも１つのパラメータを計算する工程が、前記インピーダンススペクトルから、前記細胞構造の等価回路モデルを同定する工程を含み、前記等価回路モデルは少なくとも１つのＣＰＥ（定位相要素：ｃｏｎｓｔａｎｔ  ｐｈａｓｅ  ｅｌｅｍｅｎｔ）である、請求項１〜６のいずれか一項に記載の方法。
【請求項８】
前記第２の装置（３０４、３０５）が前記哺乳類の身体に外付けされる、請求項１〜７のいずれか一項に記載の方法。
【請求項９】
哺乳類の体内に配置することにより前記哺乳類の細胞構造のインピーダンスをｉｎ  ｖｉｖｏで測定するように構成された第１の装置（３０１、３０２、３０３）であって、前記第１の装置が、前記細胞構造と接触するための少なくとも２つの電極（１１０、１１２、１１６、１１８）を有する、測定モジュール（３０１）と、および前記細胞構造のインピーダンススペクトルを判定するための内部処理部（３０２）を備え、前記内部処理部（３０２）が、複数の前記電極（１１０、１１２）を用いて前記細胞構造に、複数の周波数の交流電流を印加することにより、前記測定モジュール（３０１）からのデータにより前記インピーダンススペクトルを判定するように構成される、第１の装置と、および
前記哺乳類に外付けで配置され、前記第１の装置からの前記インピーダンススペクトルを受信し、かつ前記細胞構造の細胞を区別するように構成される第２の装置であって、前記区別とは、
前記測定モジュール（３０１）の前記電極により接触している前記細胞構造を示す少なくとも１つのパラメータを、前記インピーダンススペクトルから計算し、
前記細胞構造を示す少なくとも１つのパラメータを少なくとも１つの参照値と比較し、かつ
前記比較した結果に少なくとも基づいて、前記細胞構造に関する条項のうち少なくとも１つの項目を判定する、
ことを特徴とする、
第２の装置、
を備えるシステム。
【請求項１０】
前記内部処理（３０２）が、複数の前記電極（１１０、１１２）を用いて、複数の周波数の交流電流を印加して、連続、擬似連続（ｐｓｅｕｄｏ−ｃｏｎｔｉｎｕｏｕｓ）でない前記複数の周波数の各々の細胞構造のインピーダンスを計算することにより、前記測定モジュール（３０１）からのデータにより離散化したインピーダンススペクトルを判定するように構成される、請求項９に記載のシステム。
【請求項１１】
前記システムが、哺乳類の体内に少なくとも一部が配置されたガイドワイヤー、カテーテル等の外科装置を備え、かつ前記システムが、前記測定モジュール（３０１）および前記第１の装置の内部処理部（３０２）を備える、請求項９または１０に記載のシステム。
【請求項１２】
前記第２の装置の前記細胞構造に関する少なくとも１つの項目を判定する機能には、前記計算の結果に少なくとも基づいて、前記細胞構造の細胞組成、および／または前記細胞構造の細胞の層の数を判定する機能が含まれる、請求項９〜１１のいずれか一項に記載のシステム。
【請求項１３】
その中で符号化された指示を有する、少なくとも１つの非一過性のコンピュータ可読記録媒体であって、少なくとも１つのプロセッサにより実行される場合に、以下の工程を含む前記指示を前記少なくとも１つのプロセッサが実行するように構成され、前記工程には、
（Ａ）第２の装置において、第１の装置によって接触している哺乳類の体内の組織のインピーダンスをｉｎ  ｖｉｖｏで測定するために、前記哺乳類の体内に配置された前記第１の装置から、複数の周波数で前記組織のインピーダンスを示すインピーダンススペクトルを受信する工程であって、前記第１の装置は、前記組織に接触するための少なくとも２つの電極（１１０、１１２、１１６、１１８）を有する測定モジュール（３０１）と、および複数の前記電極（１１０、１１２）を用いて複数の周波数で交流電流を前記組織に印加することにより前記測定モジュール（３０１）からのデータにより前記組織のインピーダンススペクトルを判定するための内部処理部（３０２）を備える、工程と、
（Ｂ）前記第２の装置を用いて、前記哺乳類の前記組織の細胞を区別する工程であって、前記区別する工程が、
（Ｂ１）前記インピーダンススペクトルから、前記第１の装置の前記測定モジュール（３０１）の電極によって接触している前記組織を示す少なくとも１つのパラメータを計算する、工程と、
（Ｂ２）前記組織を示す前記少なくとも１つのパラメータを、複数の既知の組織組成に関する複数の参照値と比較する工程と、および
（Ｂ３）前記比較した少なくとも１つの結果に基づいて、前記組織組成を判定する工程、
を含む工程、
を包含する、非一過性のコンピュータ可読記録媒体。
【請求項１４】
前記工程（Ａ）の前記第１の装置から前記インピーダンススペクトルを受信する工程が、複数の前記電極（１１０、１１２）を用いて、前記組織に複数の周波数の交流電流を印加し、連続、擬似連続（ｐｓｅｕｄｏ−ｃｏｎｔｉｎｕｏｕｓ）でない前記複数の周波数の各々の前記組織のインピーダンスを計算することにより、前記測定モジュール（３０１）からのデータにより取得される離散化したインピーダンススペクトルを受信する工程を含む、請求項１３に記載の少なくとも１つの非一過性のコンピュータ可読記録媒体。
【請求項１５】
前記工程（Ａ）の前記第１の装置から前記インピーダンススペクトルを受信する工程が、哺乳類の体内に少なくとも一部が配置される、ガイドワイヤー、カテーテル等の外科装置に由来する前記インピーダンスを受信する工程を含み、かつ前記非一過性のコンピュータ可読記録媒体が、前記測定モジュール（３０１）および前記第１の装置の前記内部処理部（３０２）を備える、請求項１３または１４に記載の少なくとも１つの非一過性のコンピュータ可読記録媒体。